(57)【要約】【課題】内部に電線を簡単かつ確実に交差させて配索することができるワイヤハーネス用プロテクタを提供する。【解決手段】ワイヤハーネス用プロテクタ１０は、少なくとも２つの交差した電線収容室１５，１６を有したプロテクタ本体１１と、このプロテクタ本体１１の少なくとも２つの電線収容室１５，１６が交差する部分Ｘの上方に配置され、交差する電線収容室１５，１６のうちの一つの電線収容室１６に連なる副電線収容室２６を有した電線交差用アダプタ２０と、を備えている。【選択図】図１
2019198135.tif 000002
【特許請求の範囲】
【請求項１】
少なくとも２つの交差した電線収容室を有したプロテクタ本体と、
前記プロテクタ本体の前記少なくとも２つの電線収容室が交差する部分の上方に配置され、前記交差する電線収容室のうちの一つの電線収容室に連なる副電線収容室を有した電線交差用アダプタと、
を備えたことを特徴とするワイヤハーネス用プロテクタ。
【請求項２】
請求項１記載のワイヤハーネス用プロテクタであって、
前記プロテクタ本体は、底壁と両側壁及び該両側壁の間に前記交差する電線収容室を形成する仕切壁を有し、
前記仕切壁の上に配置され、前記交差する電線収容室のうちの一つの電線収容室に連なる前記副電線収容室を有した前記電線交差用アダプタを前記プロテクタ本体にヒンジ部を介して開閉動自在に一体形成し、
前記電線交差用アダプタの閉時にその下側に位置する電線収容室に少なくとも２本の電線のうちの一方の電線を収容自在にすると共に、前記電線交差用アダプタの前記副電線収容室に連なる電線収容室に前記少なくとも２本の電線のうちの他方の電線を収容自在にしたことを特徴とするワイヤハーネス用プロテクタ。
【請求項３】
請求項１または２記載のワイヤハーネス用プロテクタであって、
前記少なくとも２つの交差した電線収容室のうちの一つの電線収容室にシースレス編組シールド電線を収容自在にしたことを特徴とするワイヤハーネス用プロテクタ。
【請求項４】
少なくとも２本の電線と、
内部に設けられた少なくとも２つの交差した電線収容室に前記少なくとも２本の電線が交差するように収容されたプロテクタと、を備え、
前記プロテクタは、前記少なくとも２つの電線収容室が交差する部分の上方に配置され、前記交差する電線収容室のうちの一つの電線収容室に連なる副電線収容室を有した電線交差用アダプタを備えることを特徴とするプロテクタ付きワイヤハーネス。
【発明の詳細な説明】
【技術分野】
【０００１】
本発明は、ワイヤハーネスを収容して保護するワイヤハーネス用プロテクタ及びプロテクタ付きワイヤハーネスに関する。
【背景技術】
【０００２】
この種のワイヤハーネス用プロテクタとして、例えば、特許文献１〜４に開示されたものがある。
【０００３】
特許文献１に記載のワイヤハーネス用プロテクタは、底壁と両側壁を有したプロテクタ本体内に電線保持用スペーサを介して上下左右にワイヤハーネスを多段に複数配索するようにしている。
【０００４】
また、特許文献２に記載のワイヤハーネス用プロテクタは、分岐しない電線が上位置に、分岐線が下方位置に縦配列で収容される分岐用電線収容室を有するプロテクタ本体と、このプロテクタ本体にスライド挿入され、電線押さえ壁が分岐線を分岐用電線収容室の底面に押圧する分岐用アダプタとを備え、分岐線の固定作業が容易で、分岐線を確実に固定できるようにしている。
【０００５】
さらに、特許文献３に記載のワイヤハーネス用プロテクタは、底板部の両側部に一対の側壁部を立設した本体部内に、側壁部にヒンジ部を介して連結された中間押さえ部を介して複数の電線をはみ出すことなく収容できるようにしている。
【０００６】
さらに、特許文献４に記載のワイヤハーネス用プロテクタは、底板部と両側壁を有した本体部内に隔壁を介して複数の電線を通す複数の経路を設け、この本体部内の各経路に収容された複数の電線を側壁にヒンジ部を介して連結された電線保持部で保持するようにしている。
【先行技術文献】
【特許文献】
【０００７】
【特許文献１】特開２００５−２９５７２８号公報
【特許文献２】特開２０１１−３０３５９号公報
【特許文献３】特開２０１５−１４６６７３号公報
【特許文献４】特開２０１７−１０３９５９号公報
【発明の概要】
【発明が解決しようとする課題】
【０００８】
しかしながら、前記従来のワイヤハーネス用プロテクタでは、電線を収容する電線収容室や経路が並列状態で設けられているため、２本以上の電線を交差した状態で配索する必要性が生じた場合には、対応することが困難であった。尚、プロテクタ内の底板部上で平面的に電線を交差させるように配索しようとすると、電線の曲げ作業が煩雑であり、さらに、電線を交差させることなく配索してしまう等の問題点がある。
【０００９】
そこで、本発明は、前記した課題を解決すべくなされたものであり、内部に電線を簡単かつ確実に交差させて配索することができるワイヤハーネス用プロテクタ及びプロテクタ付きワイヤハーネスを提供することを目的とする。
【課題を解決するための手段】
【００１０】
本発明は、ワイヤハーネス用プロテクタにおいて、少なくとも２つの交差した電線収容室を有するプロテクタ本体と、前記プロテクタ本体の前記少なくとも２つの電線収容室が交差する部分の上方に配置され、前記交差する電線収容室のうちの一つの電線収容室に連なる副電線収容室を有した電線交差用アダプタと、を備えたことを特徴とする。
【００１１】
また、プロテクタ付きワイヤハーネスにおいて、少なくとも２本の電線と、内部に設けられた少なくとも２つの交差した電線収容室に前記少なくとも２本の電線が交差するように収容されたプロテクタと、を備え、前記プロテクタは、前記少なくとも２つの電線収容室が交差する部分の上方に配置され、前記交差する電線収容室のうちの一つの電線収容室に連なる副電線収容室を有した電線交差用アダプタを備えることを特徴とする。
【発明の効果】
【００１２】
本発明によれば、交差する電線収容室のうちの一つの電線収容室に連なる副電線収容室を有した電線交差用アダプタにより、プロテクタの内部に電線を簡単かつ確実に交差させて配索することができる。
【図面の簡単な説明】
【００１３】
【図１】本発明の一実施形態のワイヤハーネス用プロテクタのカバーを閉じる前の状態を示す斜視図である。
【図２】上記カバーを閉じた状態を示す斜視図である。
【図３】上記ワイヤハーネス用プロテクタの電線交差用アダプタを閉じる前の状態を示す部分斜視図である。
【図４】上記電線交差用アダプタを閉じた状態を示す部分斜視図である。
【図５】上記ワイヤハーネス用プロテクタに１本目の電線を配索した状態を示す平面図である。
【図６】上記ワイヤハーネス用プロテクタに２本目の電線を交差するように配索した状態を示す平面図である。
【図７】上記ワイヤハーネス用プロテクタに２本の電線を配索した状態の要部を断面で示す部分斜視図である。
【図８】上記２本目の電線であるシースレス編組シールド電線の要部の斜視図である。
【図９】比較例のワイヤハーネス用プロテクタに２本の電線を交差するように配索した状態を示す平面図である。
【発明を実施するための形態】
【００１４】
以下、本発明の一実施形態を図面に基づいて説明する。
【００１５】
図１は本発明の一実施形態のワイヤハーネス用プロテクタのカバーを閉じる前の状態を示す斜視図、図２は同カバーを閉じた状態を示す斜視図、図３は同ワイヤハーネス用プロテクタの電線交差用アダプタを閉じる前の状態を示す部分斜視図、図４は同電線交差用アダプタを閉じた状態を示す部分斜視図、図５は同ワイヤハーネス用プロテクタに１本目の電線を配索した状態を示す平面図、図６は同ワイヤハーネス用プロテクタに２本目の電線を交差するように配索した状態を示す平面図、図７は同ワイヤハーネス用プロテクタに２本の電線を配索した状態の要部を断面で示す部分斜視図、図８は同２本目の電線であるシースレス編組シールド電線の要部の斜視図である。
【００１６】
図１及び図２に示すように、ワイヤハーネス用プロテクタ１０は、底壁１２と該底壁１２の両端側より上方に起立した両側壁１３，１３′とで断面凹字状に形成され、その内部中央に一対の仕切壁１４，１４′を介してワイヤハーネスＷ／Ｈを構成する被覆電線（一方の電線）８とシースレス編組シールド電線（他方の電線）９を立体的に交差させるように収容する２つの電線収容室１５，１６を有した合成樹脂製のプロテクタ本体１１と、このプロテクタ本体１１の２つの電線収容室１５，１６が交差する部分Ｘの上に配置され、２つの交差する電線収容室１５，１６のうちの一つの電線収容室１６に連なる副（サブ）電線収容室２６を有した合成樹脂製の電線交差用アダプタ２０と、プロテクタ本体１１の両側壁１３，１３′の上端１３ａ，１３ａ間の開口部１３ｂを開閉する合成樹脂製のカバー３０と、から構成されている。
【００１７】
図１及び図２に示すように、プロテクタ本体１１の一端側（図１中左端側）の一方の電線収容室１５の電線導出口１５ａに至る底壁１２は２つの電線収容室１５，１６が交差する部分Ｘから一端側が下方に傾斜して形成されていると共に、その交差する部分Ｘから他端側（図１中右端側）の電線収容室１５の電線導入口１５ｂに至る底壁１２は平面へ字状に屈曲形成されている。
【００１８】
また、底壁１２の両側壁１３，１３′間の中央には、該両側壁１３，１３′の他端側から２つの電線収容室１５，１６が交差する部分Ｘまでが同じ高さの一対の仕切壁１４，１４′が上方に一体突出形成されている。この一対の仕切壁１４，１４′は、プロテクタ本体１１内にワイヤハーネスＷ／Ｈを構成する被覆電線８とシースレス編組シールド電線９を収容する際に２つの電線収容室１５，１６が交差する部分Ｘまでは被覆電線８とシースレス編組シールド電線９を左右方向に２列（複数列）に並列に収容する仕切りとなっている。
【００１９】
そして、図１、図３、図４に示すように、一対の仕切壁１４，１４′は、２つの電線収容室１５，１６が交差する部分Ｘでは、切り欠かれていている（この切欠き部分を符号１４ａで示す）。即ち、プロテクタ本体１１の一方の側壁１３側の一方の仕切壁１４は、２つの電線収容室１５，１６が交差する部分Ｘから一方の側壁１３の一端側（図１中左端側）までは完全に切りかかれていている。
【００２０】
また、プロテクタ本体１１の他方の側壁１３′側の他方の仕切壁１４′は、２つの電線収容室１５，１６が交差する部分Ｘから他方の側壁１３′の一端の近傍側までは電線収容室１５の側壁部（仕切壁）１４ｂとなっていて、他方の仕切壁１４′の一端側は矩形の起立壁１４ｃになっている。
【００２１】
さらに、プロテクタ本体１１の一端側（図１中左端側）の他方の電線収容室１６の電線導出口１６ａに至る底壁１２は、２つの電線収容室１５，１６が交差する部分Ｘから一端側が下方に傾斜することなく他方の仕切壁１４′の側壁部（仕切壁）１４ｂと同じ高さに形成されている。これにより、２つの電線収容室１５，１６が交差する部分Ｘから他方の電線収容室１６の電線導出口１６ａに至る底壁１２は、２つの電線収容室１５，１６が交差する部分Ｘから一方の電線収容室１５の電線導出口１５ａに至る底壁１２よりは被覆電線８の厚み分上方へ位置するように形成されている。これに対応するように、カバー３０の一端側にも段差状に下方に凹んだ凹み部３１が形成されている。尚、図１中符号１６ｂは、他方の電線収容室１６の電線導入口を示す。
【００２２】
図１、図３、図４に示すように、プロテクタ本体１１の他方の側壁１３′の２つの電線収容室１５，１６が交差する部分Ｘに対向する位置には、矩形の切欠部１３ｃを形成してある。また、プロテクタ本体１１の一方の側壁１３の切欠部１３ｃに対向する位置には、ヒンジ部２１を介して電線交差用アダプタ２０を一体突出形成してある。
【００２３】
この電線交差用アダプタ２０は、ヒンジ部２１を介してを開閉動自在に支持してあり、その裏面２０ｂが他方の仕切壁１４′の側壁部（仕切壁）１４ｂ上に載置される電線交差用アダプタ２０の閉時に、プロテクタ本体１１内の一方の電線収容室１５に収容された被覆電線８をプロテクタ本体１１の底壁１２間で位置決めして保持するものである。また、電線交差用アダプタ２０の表面２０ａの中央と片端側には副電線収容室２６を形成する一対の側壁２２，２２′を一体突出形成してある。図４に示すように、副電線収容室２６は２つの交差する電線収容室１５，１６の他方の電線収容室１６に連なっていて、副電線収容室２６と電線収容室１６とでシースレス編組シールド電線９を収容して保持するようになっている。
【００２４】
また、図３及び図４に示すように、電線交差用アダプタ２０の端側の側壁２２′の下端には、先端が鉤状の係止爪（係止部）２３を下方に延びるように一体突出形成してある。この係止爪２３に対向するプロテクタ本体１１の他方の側壁１３′の切欠部１３ｃの下側には、該係止爪２３が係止・離脱される略四角筒状（枠状）の係合部１７を一体突出形成してある。これら係合部１７と係止爪２３とでプロテクタ本体１１の２つの電線収容室１５，１６が交差する部分Ｘに電線交差用アダプタ２０を倒した閉状態をロックするロック手段が構成されている。この際に、電線交差用アダプタ２０の副電線収容室２６とプロテクタ本体１１の他方の電線収容室１６とが連通して、シースレス編組シールド電線９をプロテクタ本体１１の一方の電線収容室１５に収容された被覆電線８に対して立体的に交差させて収容すようになっている。
【００２５】
また、図１及び図２に示すように、カバー３０は、プロテクタ本体１１の両側壁１３，１３′の外側に覆い被さる断面コ字状に形成されており、その両側には先端が鉤状の係止爪（係止部）３２を所定間隔毎にそれぞれ一体突出形成してある。この各係止爪３２に対向するプロテクタ本体１１の両側壁１３，１３′の外側には、該各係止爪３２が係止・離脱される略四角筒状（枠状）の係合部１８をそれぞれ一体突出形成してある。これら係合部１８と係止爪３２とでプロテクタ本体１１の両側壁１３，１３′とカバー３０との閉状態をロックするロック手段が構成されている。
【００２６】
尚、プロテクタ本体１１の両側壁１３，１３′の外側には、車体等に取り付けるための複数の取付ブラケット１９を一体突出形成してある。
【００２７】
また、プロテクタ本体１１の底壁１２と両側壁１３，１３′及び一対の仕切壁１４，１４′の電線導出口１５ａ，１６ａ及び電線導入口１５ｂ，１６ｂ側には、図示しないコルゲートチューブの凹凸外面の環状凹部に係止されるＵ字状のチューブ係止用リブ１５ｃ，１６ｃをそれぞれ一体突出形成してある。
【００２８】
また、カバー３０の裏面のチューブ係止用リブ１５ｃ，１６ｃに相対向する位置には、図示しないコルゲートチューブの凹凸外面の環状凹部に係止されるチューブ係止用リブ３３をそれぞれ一体突出形成してある。これら各チューブ係止用リブ１５ｃ，１６ｃ，３３は、プロテクタ本体１１の２つの交差する電線収容室１５，１６内に被覆電線８とシースレス編組シールド電線９が単体で収容される場合には使用されないが、被覆電線８とシースレス編組シールド電線９がコルゲートチューブに収容された状態で使用される場合に、コルゲートチューブの凹凸外面の環状凹部に係止されるようになっている。
【００２９】
さらに、図８に示すように、シースレス編組シールド電線９は、一対の導体９ａ，９ａをそれぞれ被覆した各絶縁体９ｂを編み目状の編組線９ｃで覆ったものである。
【００３０】
以上実施形態のワイヤハーネス用プロテクタ１０によれば、プロテクタ本体１１内の２つの交差する電線収容室１５，１６にワイヤハーネスＷ／Ｈを配索する場合には、図３に示すように、電線交差用アダプタ２０を側壁１３の外側へ倒した開状態にしておく。この状態より、図５に示すように、プロテクタ本体１１内の一方の電線収容室１５の電線導入口１５ｂより電線収容室１５に下側に通す被覆電線８を収容し、電線導出口１５ａへ導出させて配索する。
【００３１】
次に、図６に示すように、プロテクタ本体１１の２つの電線収容室１５，１６が交差する部分Ｘに電線交差用アダプタ２０を倒して閉状態する。この状態より、プロテクタ本体１１内の他方の電線収容室１６の電線導入口１６ｂより電線収容室１６及び該電線収容室１６に連通する電線交差用アダプタ２０の副電線収容室２６に上側に通すシースレス編組シールド電線９を収容し、電線導出口１６ａへ導出させて配索する。これにより、プロテクタ本体１１内のワイヤハーネスＷ／Ｈを構成する２本の電線８，９を交差させて配索することができる。
【００３２】
即ち、自動車等の車輌において、２本以上の電線を交差した状態で配索する必要性が生じた場合に、図９に示すように、比較例のワイヤハーネス用プロテクタ１の場合は、プロテクタ本体２内の底板部３上で平面的に２本の電線４，５を交差させるように配索しているが、各電線４，５の曲げ作業が煩雑であり、また、各電線４，５を交差させることなく配索してしまう場合がある。
【００３３】
これに対し、本実施形態のワイヤハーネス用プロテクタ１０では、プロテクタ本体１１内の２つの交差する電線収容室１５，１６に被覆電線８とシースレス編組シールド電線９の２本の電線８，９を収容するだけの簡単な作業により、図６及び図７に示すように、プロテクタ本体１１内に２本の電線８，９を立体的に交差させて確実に配索することができる。
【００３４】
また、２本の電線８，９を配索する際に、一方の電線８は電線交差用アダプタ２０の下側を通り、他方の電線９は電線交差用アダプタ２０の副電線収容室２６上を通って、２本の電線８，９が当たらないため、電線同士の干渉による被覆の摩耗を簡単かつ確実に防止することができる。
【００３５】
さらに、電線交差用アダプタ２０はヒンジ部２１により開閉動自在に支持されているため、ヒンジ部２１を介して電線交差用アダプタ２０を開閉操作することにより、２本の電線８，９を交差させる作業を忘れることがなくなり、不具合ややり直し作業を可及的に減らすことができる。
【００３６】
尚、前記実施形態によれば、２本の電線を交差させる場合について説明したが、３本以上の電線を交差させるようにしても良い。また、コルゲートチューブに収容された電線を配索するようにしても良い。
【符号の説明】
【００３７】
８  被覆電線（一方の電線）
９  シースレス編組シールド電線（他方の電線）
１０  ワイヤハーネス用プロテクタ
１１  プロテクタ本体
１２  底壁
１３，１３′  両側壁
１４，１４′  仕切壁
１４ｂ  側壁部（仕切壁）
１５，１６  交差する電線収容室
２０  電線交差用アダプタ
２１  ヒンジ部
２６  副電線収容室
Ｘ  ２つの電線収容室が交差する部分
Ｗ／Ｈ  ワイヤハーネス
【図１】
2019198135.tif 000003
【図２】
2019198135.tif 000004
【図３】
2019198135.tif 000005
【図４】
2019198135.tif 000006
【図５】
2019198135.tif 000007
【図６】
2019198135.tif 000008
【図７】
2019198135.tif 000009
【図８】
2019198135.tif 000010
【図９】
2019198135.tif 000011